【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
物体側から像側に順に、実質的に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は正レンズを有し、
以下の条件式（１）を満足することを特徴とするズームレンズ。
７２＜ν3p＜１１０      （１）
ただし、
ν3pは、前記第３レンズ群中の前記正レンズのｄ線基準のアッベ数であり、前記第３レンズ群が複数の正レンズを含むときは、それらの正レンズのアッベ数の最大値、
である。
【請求項２】
以下の条件式（１−１）を満足することを特徴とする請求項１に記載のズームレンズ。
７５＜ν3p＜１１０      （１−１）
【請求項３】
以下の条件式（１−２）を満足することを特徴とする請求項２に記載のズームレンズ。
７７＜ν3p＜１１０      （１−２）
【請求項４】
前記第４レンズ群がフォーカシングの際に移動することを特徴とする請求項３に記載のズームレンズ。
【請求項５】
前記第４レンズ群は、合焦状態にて光軸方向に振動し、被写体までの距離が変化した際に、前記振動の幅よりも大きい距離移動にてフォーカシングを行うことを特徴とする請求項４に記載のズームレンズ。
【請求項６】
前記第３レンズ群は非球面のレンズ面を含むことを特徴とする請求項５に記載のズームレンズ。
【請求項７】
以下の条件式（２）、（３）を満足することを特徴とする請求項６に記載のズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項８】
以下の条件式（４）を満足することを特徴とする請求項７に記載のズームレンズ。
１．０＜｜ｆ4｜／ｆw＜５．０      （４）
ただし、
ｆ4は、前記第４レンズ群の焦点距離、
ｆwは、前記ズームレンズの広角端における焦点距離、
である。
【請求項９】
前記第３レンズ群は、第３レンズ群中の最も大きい軸上空間を挟んで物体側の物体側サブレンズ群と像側の像側サブレンズ群の２つのサブレンズ群からなり、
前記物体側サブレンズ群と前記像側サブレンズ群は共に正屈折力を持つことを特徴とする請求項８に記載のズームレンズ。
【請求項１０】
以下の条件式（５）、（６）、（７）を満足することを特徴とする請求項９に記載のズームレンズ。
１．４＜Ｄ3／ｆw＜２．１      （５）
０．１１＜ｄ(A)／Ｄ3＜０．５      （６）
０．５＜ｆ3f／ｆ3r＜２．３      （７）
ただし、
Ｄ3は、前記第３レンズ群の軸上での厚み、
ｄ(A)は、前記物体側サブレンズ群と前記像側レンズ群との間の軸上距離、
ｆ3fは、前記物体側サブレンズ群の焦点距離、
ｆ3rは、前記像側サブレンズ群の焦点距離、
である。
【請求項１１】
前記第１レンズ群は負レンズを有し、
以下の条件式（８）を満足することを特徴とする請求項１０に記載のズームレンズ。
１５＜ν1n＜３０      （８）
ただし、
ν1nは、前記第１レンズ群中の前記負レンズのｄ線基準のアッベ数であり、前記第１レンズ群が複数の負レンズを含むときは、それらの負レンズのアッベ数の最大値、
である。
【請求項１２】
前記第２レンズ群は正レンズを有し、
以下の条件式（９）を満足することを特徴とする請求項１１に記載のズームレンズ。
１．７０＜ｎ2p＜２．１５      （９）
ただし、
ｎ2pは、前記第２レンズ群中の前記正レンズのｄ線での屈折率であり、前記第２レンズ群が正レンズを複数含むときは、それらの正レンズの屈折率の最大値、
である。
【請求項１３】
以下の条件式（１０）、（１１）を満足することを特徴とする請求項１０に記載のズームレンズ。
０．５＜｜ｆ2｜／ｉh＜１．９      （１０）
０．７＜ｆ3／ｉh＜２．５      （１１）
ただし、
ｉhは、前記ズームレンズにおける像高の最大値、
である。
【請求項１４】
物体側から像側に順に、実質的に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は非球面のレンズ面を含み、
前記第４レンズ群がフォーカシングの際に移動し、
以下の条件式（２）、（３）を満足することを特徴とするズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項１５】
物体側から像側に順に、実質的に、
正屈折力の第１レンズ群と、
負屈折力の第２レンズ群と、
正屈折力の第３レンズ群と、
負屈折力の第４レンズ群と、
正屈折力の第５レンズ群と、からなり、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は非球面のレンズ面を含み、
前記第４レンズ群がフォーカシングの際に移動し、
以下の条件式（１０）、（１１）を満足することを特徴とするズームレンズ。
０．５＜｜ｆ2｜／ｉh＜１．９      （１０）
０．７＜ｆ3／ｉh＜２．５      （１１）
ただし、
ｆ2は、前記第２レンズ群の焦点距離、
ｆ3は、前記第３レンズ群の焦点距離、
ｉhは、前記ズームレンズにおける像高の最大値、
である。
【請求項１６】
以下の条件式（１−１）を満足することを特徴とする請求項１２又は１３に記載のズームレンズ。
７５＜ν3p＜１１０      （１−１）
ただし、
ν3pは、前記第３レンズ群中の前記正レンズのｄ線基準のアッベ数であり、前記第３レンズ群が複数の正レンズを含むときは、それらの正レンズのアッベ数の最大値、
である。
【請求項１７】
以下の条件式（１−２）を満足することを特徴とする請求項１６に記載のズームレンズ。
７７＜ν3p＜１１０      （１−２）
【請求項１８】
前記第４レンズ群がフォーカシングの際に移動することを特徴とする請求項１から１７のいずれか一項に記載のズームレンズ。
【請求項１９】
前記第４レンズ群は、合焦状態にて光軸方向に振動し、被写体までの距離が変化した際に、前記振動の幅よりも大きい距離移動にてフォーカシングを行うことを特徴とする請求項１８に記載のズームレンズ。
【請求項２０】
前記第３レンズ群は非球面のレンズ面を含むことを特徴とする請求項１から１９のいずれか一項に記載のズームレンズ。
【請求項２１】
以下の条件式（２）、（３）を満足することを特徴とする請求項１から２０のいずれか一項に記載のズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項２２】
前記第４レンズ群がフォーカシングの際に移動し、
以下の条件式（４）を満足することを特徴とする請求項１から２１のいずれか一項に記載のズームレンズ。
１．０＜｜ｆ4｜／ｆw＜５．０      （４）
ただし、
ｆ4は、前記第４レンズ群の焦点距離、
ｆwは、前記ズームレンズの広角端における焦点距離、
である。
【請求項２３】
前記第３レンズ群は、第３レンズ群中の最も大きい軸上空間を挟んで物体側の物体側サブレンズ群と像側の像側サブレンズ群の２つのサブレンズ群からなり、
前記物体側サブレンズ群と前記像側サブレンズ群は共に正屈折力を持つことを特徴とする請求項１から２２のいずれか一項に記載のズームレンズ。
【請求項２４】
以下の条件式（５）、（６）、（７）を満足することを特徴とする請求項２３に記載のズームレンズ。
１．４＜Ｄ3／ｆw＜２．１      （５）
０．１１＜ｄ(A)／Ｄ3＜０．５      （６）
０．５＜ｆ3f／ｆ3r＜２．３      （７）
ただし、
ｆwは、前記ズームレンズの広角端における焦点距離、
Ｄ3は、前記第３レンズ群の軸上での厚み、
ｄ(A)は、前記物体側サブレンズ群と前記像側レンズ群との間の軸上距離、
ｆ3fは、前記物体側サブレンズ群の焦点距離、
ｆ3rは、前記像側サブレンズ群の焦点距離、
である。
【請求項２５】
前記第３レンズ群の最も物体側のレンズ面と最も像側のレンズ面が、ともに非球面であることを特徴とする請求項２３又は２４に記載のズームレンズ。
【請求項２６】
前記第３レンズ群は、物体側から像側に順に、
第１正レンズ成分と、第２正レンズ成分と、物体側から負レンズと正レンズとの接合レンズ成分と、からなるか、もしくは、
第１正レンズ成分と、物体側から正レンズと負レンズとの接合レンズ成分と、第２正レンズ成分と、からなることを特徴とする請求項２３から２５のいずれか一項に記載のズームレンズ。
ここで、レンズ成分は、光路中にて物体側面と像側面のみが空気に接するレンズブロックである。
【請求項２７】
前記第１レンズ群は負レンズを有し、
以下の条件式（８）を満足することを特徴とする請求項１から２６のいずれか一項に記載のズームレンズ。
１５＜ν1n＜３０      （８）
ただし、
ν1nは、前記第１レンズ群中の前記負レンズのｄ線基準のアッベ数であり、前記第１レンズ群が複数の負レンズを含むときは、それらの負レンズのアッベ数の最大値、
である。
【請求項２８】
前記第２レンズ群は正レンズを有し、
以下の条件式（９）を満足することを特徴とする請求項１から２７のいずれか一項に記載のズームレンズ。
１．７０＜ｎ2p＜２．１５      （９）
ただし、
ｎ2pは、前記第２レンズ群中の前記正レンズのｄ線での屈折率であり、前記第２レンズ群が正レンズを複数含むときは、それらの正レンズの屈折率の最大値、
である。
【請求項２９】
以下の条件式（１０）、（１１）を満足することを特徴とする請求項１から２８のいずれか一項に記載のズームレンズ。
０．５＜｜ｆ2｜／ｉh＜１．９      （１０）
０．７＜ｆ3／ｉh＜２．５      （１１）
ただし、
ｆ2は、前記第２レンズ群の焦点距離、
ｆ3は、前記第３レンズ群の焦点距離、
ｉhは、前記ズームレンズにおける像高の最大値、
である。
【請求項３０】
以下の条件式（１２）、（１３）、（１４）を満足することを特徴とする請求項１から２９のいずれか一項に記載のズームレンズ。
１．７＜Ｆｎｏ(w)＜３．４      （１２）
２．３＜Ｆｎｏ(t)＜４．３      （１３）
２．７＜ｆt／ｆw＜７．０      （１４）
ただし、
Ｆｎｏ(w)は、前記ズームレンズの広角端におけるＦナンバーの最小値、
Ｆｎｏ(t)は、前記ズームレンズの望遠端におけるＦナンバーの最小値、
ｆwは、前記ズームレンズの広角端における焦点距離、
ｆtは、前記ズームレンズの望遠端における焦点距離、
である。
【請求項３１】
以下の条件式（１５）を満足することを特徴とする請求項１から３０のいずれか一項に記載のズームレンズ。
０．９＜ｆw／ｉh＜１．５      （１５）
ただし、
ｆwは、前記ズームレンズの広角端における焦点距離、
ｉhは、前記ズームレンズにおける像高の最大値、
である。
【請求項３２】
ズームレンズと、前記ズームレンズの像側に配置され、前記ズームレンズによる像を電気信号に変換する撮像素子と、を有し、
前記ズームレンズが請求項１から３１のいずれか一項に記載するズームレンズであることを特徴とする撮像装置。
【手続補正２】
【補正対象書類名】明細書
【補正対象項目名】００１２
【補正方法】変更
【補正の内容】
【００１２】
上述した課題を解決し、目的を達成するために、本発明のズームレンズは、物体側から像側に順に、実質的に、正屈折力の第１レンズ群と、負屈折力の第２レンズ群と、正屈折力の第３レンズ群と、負屈折力の第４レンズ群と、正屈折力の第５レンズ群と、からなり、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は正レンズを有し、以下の条件式（１）を満足することを特徴とする。
７２＜ν3p＜１１０      （１）
ただし、
ν3pは、第３レンズ群中の正レンズのｄ線基準のアッベ数であり、第３レンズ群が複数の正レンズを含むときは、それらの正レンズのアッベ数の最大値、
である。
【手続補正３】
【補正対象書類名】明細書
【補正対象項目名】００１３
【補正方法】変更
【補正の内容】
【００１３】
また、本発明の別のズームレンズは、物体側から像側に順に、実質的に、正屈折力の第１レンズ群と、負屈折力の第２レンズ群と、正屈折力の第３レンズ群と、負屈折力の第４レンズ群と、正屈折力の第５レンズ群と、からなり、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は非球面のレンズ面を含み、第４レンズ群がフォーカシングの際に移動し、以下の条件式（２）、（３）を満足することを特徴とする。
０．４＜｜ｆ2｜／ＦＢ＜１．５      （２）
０．５＜ｆ3／ＦＢ＜１．８      （３）
ただし、
ｆ2は、第２レンズ群の焦点距離、
ｆ3は、第３レンズ群の焦点距離、
ＦＢは、ズームレンズにおいて最も像側に位置するレンズの像側面から像面までの空気換算距離、
である。
【手続補正４】
【補正対象書類名】明細書
【補正対象項目名】００１４
【補正方法】変更
【補正の内容】
【００１４】
また、本発明の別のズームレンズは、物体側から像側に順に、実質的に、正屈折力の第１レンズ群と、負屈折力の第２レンズ群と、正屈折力の第３レンズ群と、負屈折力の第４レンズ群と、正屈折力の第５レンズ群と、からなり、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は非球面のレンズ面を含み、第４レンズ群がフォーカシングの際に移動し、以下の条件式（１０）、（１１）を満足することを特徴とする。
０．５＜｜ｆ2｜／ｉh＜１．９      （１０）
０．７＜ｆ3／ｉh＜２．５      （１１）
ただし、
ｆ2は、第２レンズ群の焦点距離、
ｆ3は、第３レンズ群の焦点距離、
ｉhは、ズームレンズにおける像高の最大値、
である。
【手続補正５】
【補正対象書類名】明細書
【補正対象項目名】００６８
【補正方法】変更
【補正の内容】
【００６８】
条件式（１５）の下限を下回らず、上限を上回らないようにすることで、歪曲収差などの軸外収差を抑えつつも広画角での撮影が可能なズームレンズとなる。
【手続補正６】
【補正対象書類名】明細書
【補正対象項目名】００８５
【補正方法】変更
【補正の内容】
【００８５】
第４レンズ群Ｇ４は、像側に凸面を向けた正メニスカスレンズＬ１２と、両凹負レンズＬ１３と、で構成されている。ここで、正メニスカスレンズＬ１２と両凹負レンズＬ１３とが接合されている。
【手続補正７】
【補正対象書類名】明細書
【補正対象項目名】００８８
【補正方法】変更
【補正の内容】
【００８８】
広角端から望遠端への変倍に際し、第１レンズ群Ｇ１は物体側に移動する。第２レンズ群Ｇ２は像側に移動した後、物体側に移動する。第３レンズ群Ｇ３と第４レンズ群Ｇ４は物体側に移動する。第５レンズ群Ｇ５は像面に対して固定となっている（静止している）。
【手続補正８】
【補正対象書類名】明細書
【補正対象項目名】０１３９
【補正方法】変更
【補正の内容】
【０１３９】
数値実施例７
単位ｍｍ
面データ
面番号       r           d        nd        νd
物面        ∞          ∞
1        500.0000     2.200    1.84666    23.78
2        160.0628     5.273    1.60311    60.64
3       -270.6063     0.150
4         63.0833     3.813    1.77250    49.60
5        103.9750    （可変）
6*        56.2074     1.500    1.80610    40.88
7*        11.8380     9.673
8        -21.4816     1.300    1.59282    68.63
9         23.3531     4.697    1.90366    31.32
10        -44.0463     1.890
11        -18.9038     1.000    1.53172    48.84
12        -36.7153    （可変）
13（絞り）  ∞         1.000
14*        17.6239     2.926    1.58313    59.38
15*       123.9330     8.450
16         18.3301     3.324    1.49700    81.54
17        -59.4100     1.000    1.90366    31.32
18         16.6820     1.212
19*        15.1130     3.778    1.58313    59.38
20*       -26.6135    （可変）
21         52.0812     2.874    1.59270    35.31
22      -2175.3816     1.000    1.72916    54.68
23         23.8370    （可変）
24        407.7758     3.568    1.75520    27.51
25        -90.9381    10.7964
26          ∞         4.000    1.51633    64.14
27          ∞         0.800
像面（撮像面）∞
非球面データ
第６面
k=7.1531
A4=-5.4481E-06,A6=1.8485E-08,A8=-7.2663E-11,A10=6.8327E-14
第７面
k=-0.1612
A4=-1.7099E-05,A6=-5.7089E-08,A8=2.9598E-10,A10=-3.6426E-12
第１４面
k=-1.0641
A4=5.0796E-06,A6=-2.1493E-08,A8=4.2219E-11
第１５面
k=-0.0406
A4=-1.0927E-05,A6=4.0710E-09,A8=-1.0459E-10
第１９面
k=-0.9004
A4=-3.1993E-05,A6=7.3434E-08,A8=1.4665E-10
第２０面
k=-5.9367
A4=-1.6404E-05,A6=6.0494E-08,A8=6.9852E-11
ズームデータ
広角      中間      望遠
焦点距離      12.24     24.30     49.20
Ｆｎｏ．       2.88      3.43      4.08
２ω          87.51°   47.00°   24.10°
ＩＨ          10.820    10.820    10.820
ＦＢ(in air)  14.234    14.234    14.234
全長(in air) 107.672   120.646   152.973
d1          0.7274   17.2131   42.1324
d12         23.7721    8.5457    0.9990
d20          1.0000    2.1329    2.0746
d23          7.3103   17.8920   32.9051
フォーカスデータ
広角      中間      望遠
移動方向       像側      像側      像側
移動量         1.152     2.851     6.981
各群焦点距離
f1=134.5341   f2=-16.2889   f3=22.5273   f4=-54.2240   f5=98.7628
【手続補正９】
【補正対象書類名】明細書
【補正対象項目名】０１４５
【補正方法】変更
【補正の内容】
【０１４５】
図２２は、電子撮像装置としてのレンズ交換式カメラ、例えば、クイックリターンミラーをもたないタイプのカメラであるミラーレス一眼カメラの断面図である。図２２において、ミラーレス一眼カメラ１の鏡筒内には撮影光学系２が配置される。マウント部３は、撮影光学系２をミラーレス一眼カメラ１のボディに着脱可能とする。マウント部３としては、スクリュータイプのマウントやバヨネットタイプのマウント等が用いられる。この例では、バヨネットタイプのマウントを用いている。また、ミラーレス一眼カメラ１のボディには、撮像素子面４、バックモニタ５が配置されている。なお、撮像素子としては、小型のＣＣＤ又はＣＭＯＳ等が用いられている。